(57)【特許請求の範囲】
【請求項１】
排ガス流路にＮＯｘ浄化触媒を配置した内燃機関の排ガス浄化方法において、
前記ＮＯｘ浄化触媒が、アルカリ金属及びアルカリ土類金属から選ばれる少なくとも一種の元素と、希土類金属から選ばれる少なくとも一種の元素と、白金族金属（いわゆる貴金属）から選ばれる少なくとも一種の元素と、チタン（Ti）とを含む触媒活性成分を多孔質耐熱性金属酸化物に担持してなる担持触媒で、該担持触媒においてチタン（Ti）は、前記アルカリ金属及びアルカリ土類金属から選ばれる少なくとも一種と同時に前記多孔質耐熱性金属酸化物に担持されており、触媒バルク内でのＮＯｘ移動過程を含まずに、排ガスがリーンのときに排ガス中のＮＯｘを表面に吸着し、排ガスがストイキもしくはリッチのとき吸着したＮＯｘをＮ２に還元するものであって、
内燃機関がリーン運転しているとき、前記ＮＯｘ浄化触媒で排ガス中のＮＯｘを吸着し、吸着後に、排ガスを１秒乃至４．５秒の間ストイキもしくはリッチの状態とし、前記排ガスのストイキもしくはリッチは、そのリッチ状態の深さを空燃比Ａ／Ｆ値で、１３．０乃至１４．７の間とし、前記ＮＯｘ浄化触媒で吸着したＮＯｘを還元剤と接触反応させてＮ２に還元して排ガスを浄化し、かつ、
次式：
燃料消費率の低下率（％）＝
［（リッチシフトありの燃料消費率−リッチシフトなしの燃料消費率）／リッチシフトなしの燃料消費率］×１００
で表される燃料消費率の低下率が５％以下である内燃機関の排ガス浄化方法。
【請求項２】
前記ＮＯｘ浄化触媒のアルカリ金属がカリウム(K)もしくはナトリウム(Na)であり、前記アルカリ土類金属がマグネシウム(Mg)、カルシウム(Ca)、もしくはストロンチウム(Sr)であり、前記希土類金属がランタン(La)もしくはセリウム(Ce)、前記白金族金属が、白金(Pt)、ロジウム(Rh)、パラヂウム(Pd)であることを特徴とする請求項１に記載の内燃機関の排ガス浄化方法。
【請求項３】
排ガス流路にＮＯｘ浄化触媒を配置すると共に、制御装置を備えた内燃機関の排ガス浄化装置において、
前記ＮＯｘ浄化触媒が、アルカリ金属及びアルカリ土類金属から選ばれる少なくとも一種の元素と、希土類金属から選ばれる少なくとも一種の元素と、白金族金属（いわゆる貴金属）から選ばれる少なくとも一種の元素と、チタン（Ti）とを含む触媒活性成分を多孔質耐熱性金属酸化物に担持してなる担持触媒で、該担持触媒においてチタン（Ti）は、前記アルカリ金属及びアルカリ土類金属から選ばれる少なくとも一種と同時に前記多孔質耐熱性金属酸化物に担持されており、触媒バルク内でのＮＯｘ移動過程を含まずに、排ガスがリーンのときに排ガス中のＮＯｘを表面に吸着し、排ガスがストイキもしくはリッチのとき吸着したＮＯｘをＮ２に還元するものであって、
前記制御装置は、空燃比制御手段を備え、該空燃比制御手段は、内燃機関がリーン運転しているとき、前記ＮＯｘ浄化触媒で吸着した排ガス中のＮＯｘを、還元剤と接触反応させてＮ２に還元して排ガスを浄化するべく、排ガスを１秒乃至４．５秒の間ストイキもしくはリッチの状態に制御する手段を有し、前記排ガスのストイキもしくはリッチの状態への制御は、そのリッチ状態の深さを空燃比Ａ／Ｆ値で、１３．０乃至１４．７の間とし、かつ、
次式：
燃料消費率の低下率（％）＝
［（リッチシフトありの燃料消費率−リッチシフトなしの燃料消費率）／リッチシフトなしの燃料消費率］×１００
で表される燃料消費率の低下率が５％以下であることを特徴とする内燃機関の排ガス浄化装置。
【請求項４】
前記ＮＯｘ浄化触媒のアルカリ金属がカリウム(K)もしくはナトリウム(Na)であり、前記アルカリ土類金属がマグネシウム(Mg)、カルシウム(Ca)、もしくはストロンチウム(Sr)であり、前記希土類金属がランタン(La)もしくはセリウム(Ce)、前記白金族金属が、白金(Pt)、ロジウム(Rh)、パラヂウム(Pd)であることを特徴とする請求項３に記載の内燃機関の排ガス浄化装置。
【発明の詳細な説明】
【０００１】
【発明の属する技術分野】
本発明は、自動車等の内燃機関から排出される排気ガスの浄化方法及び浄化装置に係わり、特に、希薄空燃比(リーンバーン)で運転可能な内燃機関もしくは該内燃機関を搭載した自動車から排出される排ガスの浄化方法及び浄化装置に関する。
【０００２】
【従来の技術】
自動車等の内燃機関から排出される排ガス中に含まれる、一酸化炭素(CO)、炭化水素(HC：Hydrocarbon)、及び窒素酸化物(NOx)等は、大気汚染物質として人体に悪影響を及ぼす他、植物の生育を妨げる等の問題を生起している。
そして、従来より、これらの排出量の低減には、多大の努力が払われ、内燃機関の燃焼方法の改善に基づく前記大気汚染物質の発生量の低減に加え、排出された排ガスを触媒等を利用して浄化する方法の開発が進められており、大気汚染物質の排出の低減が、着実に成果を挙げてきている。ガソリンエンジンを搭載した自動車に関しては、これまで、三元触媒なるPt,Rhを活性の主成分として、ＨＣ及びＣＯの酸化とＮＯxの還元を同時に行って、排ガスを無害化する方法がその主流となっている。
【０００３】
そして、前記三元触媒は、その特性から、ウィンドウと称される理論空気燃料比（理論空燃比）の近傍で燃焼させて生成した排ガスにしか、その排ガスの浄化機能が効果的に作用しない。そこで、従来のエンジンにおいては、その空燃比を、自動車の運転状況に応じて変動させるが、その変動範囲は原則として理論空燃比(ガソリンの場合Ａ(空気の重量)／F(燃料の重量)＝約14.7；以下本明細書では理論空撚比をA/F＝14.7で代表させるが、燃料の種類によりこの数値は変る)の近傍に調節されてきた。
【０００４】
ところで、近時、理論空燃比より希薄(リーン)な空燃比でエンジンを運転すると燃費を向上させることができることから、いわゆる、リーンバーン燃焼技術の開発が進められ、空燃比の値が１８以上のリーン域でエンジンを燃焼させる自動車が珍しくなくなってきている。しかし、前記の様に現在使用されている三元触媒を用いてリーンバーン燃焼による排ガスの浄化を行なわせると、ＨＣ、ＣＯの酸化による浄化は行えるものの、ＮＯxを効果的に還元して浄化することはできないと云う不具合がある。
【０００５】
したがって、リーンバーン燃焼方式エンジンを大型車へ搭載適用し、リーンバーン燃焼時間の拡大(リーンバーン燃焼方式の適用運転域の拡大)を進めるには、リーンバーン燃焼対応の排ガス浄化技術が必要となってきている。そこで、リーンバーン燃焼に対応した排ガス浄化技術、即ち、酸素(Ｏ2)が多量に含まれる排ガス中でのＨＣ、ＣＯ、ＮＯxを浄化する技術の開発、特にＮＯxを浄化する技術の開発が精力的に進められている。
【０００６】
これまでに提案されてきた技術の一つには、リーン燃焼の排ガスからＮＯxをＮＯx吸収材を用いて分離し(少なくとも排ガス中のＯ2から分離し)しかる後に、ＮＯｘ吸収材により分離されたＮＯxを炭化水素、一酸化炭素、水素等の還元剤と接触反応させることによってＮＯxのＮ2への還元による無害化を行い、かつ、ＮＯx吸収材のＮＯx吸収能の回復を図る手段がある。
【０００７】
例えば、特開昭62-97630号公報、特開昭62-106826号公報、及び特開昭62-117620号公報に記載の技術は、排ガス中のＮＯxを(ＮＯは酸化して吸収され易いＮＯ2に変換した後)ＮＯx吸収能を有する触媒と接触させて吸収除去し、吸収効率が低下した時点で、排ガスの通過を止めてＨ2、メタン・ガソリン等のＨＣ等の還元剤を用いて蓄積されたＮＯxを還元除去し、触媒のＮＯx吸収能を再生するものである。
【０００８】
また、特許第2600492号公報に記載の技術は、排ガスがリーン運転の時にＮＯxを吸収し、その後、排ガス中の酸素濃度を低下させると吸収したＮＯxを放出するＮＯx吸収剤をエンジンの排気通路に設置し、排ガスがリーン運転のときには、ＮＯxを吸収させ、吸収させたＮＯxをＮＯx吸収剤に流入する排ガス中のＯ2濃度を低下せしめて放出させて、しかる後にＮ2に還元する手段を開示している。
【０００９】
【発明が解決しようとする課題】
ところで、前記提示の技術は、以下に述べるような解決すべき課題を有している。
即ち、まず第一に、触媒で吸収捕捉したＮＯxの還元無害化のための還元剤を何に求めるかである。リーンバーン燃焼のエンジンを搭載した車のメリットは、前述の如く燃費の向上に基づく省エネルギーにあり、還元剤の投入は、燃費の向上効果を減ずるものであるから、その投入は、必要最小限度とすべきものであり、かつ、還元剤の投入のための装置や制御は、簡単で信頼性のあるものでなければならない。更に、本方式の適用が、自動車の性能や操作性を減じるものであってはならない。
【００１０】
また第二に、前記特開昭62-97630号公報、同62-106826号公報、及び同62-117620号公報に記載の技術は、ＮＯx吸収剤の再生に当たり排ガスの流通を停止してＨＣ等の還元剤をＮＯx吸収剤に接触させるため、還元剤の排ガス中のＯ2による燃焼消費が抑制されて還元剤の使用量が低減する。しかし、ＮＯx吸収剤を２つ設け、且つ、排ガスをこれらに交互に流通させるための排気切り替え機構が必要で、排ガス浄化装置の構造が複雑になると云う不具合が生じることは否定できない。
【００１１】
更に第三に、特許2600492号公報記載の技術は、排ガスを常時ＮＯx吸収剤に流通させておき、排ガスがリーンの時にＮＯxを吸収させ、排ガス中のＯ2濃度を低下（燃焼をリッチ状態）させて、吸収したＮＯxを放出させて吸収剤を再生するために、排ガス流の切り替えは不要であるので、前記第二の問題点は解消する。
【００１２】
しかし、排ガスがリーンのときにＮＯxを吸収し、排ガス中のＯ2濃度が低下せしめられたときにＮＯxを放出できる材料を触媒として採用することが前提となる。また、前記技術には、放出されたＮＯxを還元するに当たり排ガスの燃焼をリッチとする手段が開示されているが、実際に車のシステムとして前記手段を該車に組み込むには、燃料消費率(燃費)、操作性、運転性、信頼性等を考慮したリッチ条件の最適化を図る必要があり、燃費の最適化からみれば、燃焼のリッチ化により消費される燃料の量を如何に少なくするかが課題となる。またこれらの最適化は、ＮＯx吸収材の特性とも密接に関係するものもあり、ＮＯx吸収材の選定も重要な要素となるものである。
【００１３】
本発明は、このような問題に鑑みてなされたものであって、その目的とするところは、リーンバーン燃焼内燃機関の排ガスからＮＯx等の有害成分を燃費の低下を抑えて効果的に除去し、無害化できる排ガス浄化方法及び装置を提供することにある。
特に、浄化方法及び浄化装置の構成が簡単で、還元剤の消費量も少ないと共に、リーン排ガスからＮＯxをＮＯx吸着材を用いて分離し、しかる後に吸着材により分離されたＮＯxをストイキあるいはリッチ排ガスと接触させることによってＮＯxのＮ2への還元による無害化を行う排ガス浄化方法及び装置であって、排気浄化性能と燃費の両者に優れたリーンバーン燃焼内燃機関を実現する排ガス浄化方法及び装置を提供することにある。
【００１４】
【課題を解決するための手段】
前記目的を達成すべく、本発明に係る内燃機関の排ガス浄化方法は、排ガス流路にＮＯｘ浄化触媒を配置し、前記ＮＯｘ浄化触媒が、アルカリ金属及びアルカリ土類金属から選ばれる少なくとも一種の元素と、希土類金属から選ばれる少なくとも一種の元素と、白金族金属（いわゆる貴金属）から選ばれる少なくとも一種の元素と、チタン（Ti）とを含む組成物で、排ガスがリーンのときに排ガス中のＮＯｘを表面に吸着し、排ガスがストイキもしくはリッチのとき吸着したＮＯｘをＮ2に還元するものであって、前記内燃機関がリーン運転しているとき、前記ＮＯx浄化触媒で排ガス中のＮＯｘを吸着し、吸着後に、排ガスを１秒間乃至４．５秒の間ストイキもしくはリッチの状態とし、前記ＮＯｘ浄化触媒で吸着したＮＯｘを還元剤と接触反応させてＮ2に還元して排ガスを浄化することを特徴している。
【００１５】
このように構成された本発明に係る内燃機関の排ガス浄化方法は、排ガスがリーン（排ガス中の各成分の酸化還元化学量論関係において還元剤に対して酸化剤が多い状態）のときに、排ガス中のＮＯｘを吸着補捉し、排ガスがストイキ（酸化剤に対し還元剤が同量）もしくはリッチ（酸化剤に対し還元剤が同量以上）のとき吸着捕捉したＮＯｘをＮ２に還元するようにしたこと、即ち、リーン運転しているとき、前記ＮＯｘ浄化触媒で排ガス中のＮＯｘを吸着し、吸着後に、排ガスを１秒間乃至４．５秒の間ストイキもしくはリッチの状態とし、前記ＮＯｘ浄化触媒で吸着したＮＯｘを還元剤と接触反応させてＮ２に還元したことにより排ガスを無害化すると共に、リーンバーン燃焼における排ガス中のＮＯｘ等を、燃費に大きな影響を与えることなく効果的に浄化できる。
【００１６】
ここで、酸化剤は、Ｏ2、ＮＯ、ＮＯ2等で主として酸素である。還元剤は、内燃機関に供されたＨＣ、燃焼過程で生成するその派生物としてのＨＣ(含む含酸素炭化水素)、ＣＯ、Ｈ2等である。
そして、本発明の好ましい具体的な態様としては、前記ＮＯx浄化触媒が、カリウム(K)、ナトリウム(Na)のアルカリ金属及びマグネシウム(Mg)、カルシウム(Ca)、ストロンチウム(Sr)のアルカリ土類金属から選ばれる少なくとも一種の元素と、ランタン(La)、セリウム(Ce)の希土類金属から選ばれる少なくとも一種の元素と、白金(Pt)、ロジウム(Rh)、パラヂウム(Pd)等の白金族金属（いわゆる貴金属）から選ばれる少なくとも一種の元素と、チタン(Ti)を含む組成物及び該組成物を多孔質耐熱性金属酸化物に担持してなる組成物を用いることを特徴している。
【００１７】
また、本発明の他の好ましい具体的な態様は、前記排ガスのストイキもしくはリッチは、そのリッチ状態の深さを空燃比Ａ／Ｆ値で、１３．０乃至１４．７の間とすることを特徴としている。
更に、本発明の内燃機関の排ガス浄化方法を実施するための浄化装置は、排ガス流路にＮＯｘ浄化触媒を配置すると共に、制御装置を備え、前記制御装置が、空燃比制御手段を備え、該空燃比制御手段が、内燃機関がリーン運転しているとき、前記ＮＯx浄化触媒で吸着した排ガス中のＮＯxを、還元剤と接触反応させてＮ2に還元して排ガスを浄化するべく、排ガスを１秒間乃至４．５秒の間ストイキもしくはリッチの状態に制御する手段を有し、前記排ガスのストイキもしくはリッチの状態への制御は、そのリッチ状態の深さを空燃比Ａ／Ｆ値で、１３．０乃至１４．７の間とすることを特徴としている。
【００１８】
このように、本発明の内燃機関の排ガス浄化方法及び浄化装置においては、内燃機関における燃焼条件を理論空燃比もしくは燃料過剰(リッチ)とすることにより、ストイキ排ガス、もしくはリッチ排ガスを生成させるが、これは、前記空燃比制御手段によって排気ダクトに設けられた酸素濃度センサーの出力及び吸気流量センサーの出力等に応じて燃料噴射量を制御することにより、あるいは複数の気筒の一部を燃料過剰とし残部を燃料不足とし、全気筒からの混合排ガス中の成分が酸化還元化学量論関係において酸化剤に対して還元剤が同量(ストイキ排ガスに相当)か、もしくは多い状態(リッチ排ガスに相当)をつくる方法、ＤＢＷを用いて吸入空気量を絞って理論空燃比もしくはリッチ状態を作り出す方法、あるいはＥＧＲの不活性ガスを導入することにより理論空燃比またはリッチを作り出す方法等によって行うものである。
【００１９】
そして、本発明におけるＮＯx浄化触媒は、各種の形状として用いることができるし、コージェライト、ステンレス等の金属材料からなるハニカム状構造体に吸着触媒成分をコーティングして得られるハニカム形状を始めとし、ペレット状、板状、粒状、粉末として適用することができる。
【００２０】
また、本発明の排ガス浄化方法及び浄化装置は、ストイキ排ガスもしくはリッチ排ガスを生成させるタイミングを、以下の各方法により行うことができる。
第一に、エンジン制御装置ECU(Engine Control Unit)で決定される空燃比設定信号、エンジン回転数信号、吸入空気量信号、吸気管圧力信号、速度信号、スロットル開度、排ガス温度等からリーン運転時におけるNOx排出量を推定し、その積算値が所定の設定値を超えたときに、ストイキ排ガスもしくはリッチ排ガスを生成させるタイミングとする。
【００２１】
第二に、排気流路に配置されたＮＯx浄化触媒の上流または下流に置かれた酸素センサー(もしくはA/Fセンサー)の信号により累積酸素量を検出し、累積酸素量が所定の量を超えたときに、ストイキ排ガスもしくはリッチ排ガスを生成させるタイミングとする。該方法の変形態様としては、リーン運転時の累積酸素量が所定の量を超えたときに、ストイキ排ガスもしくはリッチ排ガスを生成させるタイミングとする。
【００２２】
第三に、排気流路のＮＯx浄化触媒の上流に置かれたＮＯxセンサーの信号により累積ＮＯx量を算出し、リーン運転時における累積ＮＯx量が所定の量を超えたときに、ストイキ排ガスもしくはリッチ排ガスを生成させるタイミングとする。
第四に、排気流路のＮＯx浄化触媒の下流に置かれたＮＯxセンサーの信号によりリーン運転時におけるＮＯx濃度を検出し、ＮＯx濃度が所定濃度を超えたときに、ストイキ排ガスもしくはリッチ排ガスを生成させるタイミングとする。
更に、本発明の排ガス浄化方法及び浄化装置における酸化剤に対し還元剤が同量かもしくは多い状態を維持する時間、もしくは維持すべく投入する還元剤量は、燃料噴射弁のストローク、噴射時間、及び噴射間隔を調整することで実現される。
【００２３】
【発明の実施の形態】
以下、図面により本発明の内燃機関の排ガス浄化方法及び装置の一実施の形態について説明する。
[排気浄化装置]
図１は、本実施の形態の排ガス浄化装置を構成する内燃機関ユニットの全体構成を示したものである。
本発明の内燃機関ユニットは、リーンバーン運転が可能なエンジン９９、エアクリーナー１、スロットルバルブ３、吸気管１１等を擁する吸気系、排気管１８、NOx浄化触媒１９等を擁する排気浄化系、及び、制御ユニット(ECU)２５等から構成される。制御ユニット２５は、図示を省略するが、入出力インターフェイスとしてのＩ／ＯＬＳＩ、演算処理装置ＭＰＵ、多数の制御プログラムを記憶させた記憶装置ＲＡＭ、及びＲＯＭ、タイマーカウンター等より構成されている。また、エンジンの吸気系に配置されたインジェクター５には、燃料タンク１３内の燃料が燃料ポンプ１２を介して導かれている。
【００２４】
前記吸気系には、エアフローセンサー２、スロットル開度センサー４、吸気温度センサー９が配置されていて、該各センサーの出力信号が前記制御ユニット２５に出力されている。また、前記排気浄化系には、酸素センサー２０、ＮＯＸ濃度センサー２１、ＮＯｘ浄化触媒温度センサー２２、及び、排ガス温度センサー２３が配置され、該各センサの出力信号も同様に前記制御ユニット２５に出力されている。更に、ノックセンサー２６、水温センサー２８、エンジン９９の回転数を検出するクランク角センサー２９、及び、アクセルペタル７の踏み込み量に基づきエンジン負荷を検出する負荷センサー８の出力信号も前記制御ユニット２５に出力されている。
【００２５】
前記排ガス浄化装置を構成する内燃機関ユニットにおいては、エンジン９９への吸入空気が、エアクリーナー１により濾過された後、エアフローセンサー２により計量され、スロットルバルブ３を経て吸気管１１に供給され、インジェクター５からの燃料噴射を受けて混合気となってエンジン９９に供給される。
制御ユニット２５では、前記各検出センサーの信号に基づき、内燃機関９９の運転状態及びNOx浄化触媒１９の状態を評価して空燃比制御手段（図示省略）で、運転空燃比を決定し、インジェクター５の噴射時間等を制御して混合気の燃料濃度を所定値に設定するように制御する。燃焼室９９ａに吸入された混合気は、制御ユニット２５からの信号で制御される点火プラグ６によって着火されて燃焼する。
【００２６】
本実施の形態の排ガス浄化装置を構成するエンジン９９で燃焼した排ガスは、前記排気浄化系に導かれ、排気浄化系にはＮＯx浄化触媒１９が設けられているので、ストイキ運転時には、その三元触媒機能により排ガス中のＮＯx、ＨＣ、ＣＯを浄化し、また、リーン運転時には、ＮＯxの捕捉能（吸着能）によりＮＯxを浄化すると同時に、併せ持つ燃焼機能により、ＨＣ、ＣＯを浄化する。
【００２７】
更に、制御ユニット２５の前記空燃比制御手段の制御判定及び制御信号により、リーン運転時には、ＮＯx浄化触媒のＮＯxの浄化能力を判定して、ＮＯxの吸着捕捉能力が低下した場合、燃焼の空燃比をストイキもしくはリッチに制御してＮＯx浄化触媒１９のＮＯx吸着捕捉能を回復させるようにしている。前記の操作を繰り返す制御をすることにより、本実施の形態の装置は、リーン運転、ストイキ(含むリッチ)運転の全てのエンジン燃焼運転の条件下において、排ガスを効果的に浄化することができる。
【００２８】
[ＮＯx浄化触媒]
本実施の形態に好適なＮＯx浄化触媒１９は、後述の特性評価に提供したＮＯx浄化触媒N-NとＮＯx浄化触媒N-Sであり、これらを以下の方法で調製した。
ＮＯx浄化触媒N-Nを、次の方法で調製した。即ち、ハニカム触媒の基体としてのコーディエライト性ハニカムに、見掛け容積１Ｌ当たり１５０ｇのアルミナをコーティングした。該アルミナコートハニカムに触媒活性成分を担持し、ハニカム状触媒を得た。先ず、硝酸セリウム(硝酸Ce)溶液を含浸し、乾燥後６００℃で１時間焼成し、続いて、硝酸ナトリウム(硝酸Na)溶液とチタニアゾル溶液と硝酸マグネシウム(硝酸Mg)溶液の混合溶液を含浸し、同様に乾燥、焼成した。
【００２９】
更に、ジニトジアンミンPt硝酸溶液と硝酸ロジウム(硝酸Rh)溶液の混合溶液に含浸し、乾燥後４５０℃で１時間焼成した。最後に、硝酸Mg溶液を含浸し、４５０℃で１時間焼成した。以上によりアルミナ(Al2O3) に、Ce,Mg,Na,Ti,Rh,Ptを担持したハニカム状ＮＯx浄化触媒、2Mg-(0.2Rh,2.7Pt)-(18Na,4Ti,2Mg)-27Ce/Al2O3を得た。
ここで、Al2O3は、活性成分がAl2O3上に担持されたことを示し、元素記号前の数値は、ハニカム見掛け容積１Ｌ当たりに担持した表示金属成分の重量(g)である。表記順序は、担持順序を示しており、Al2O3に近く表記される成分から離れる成分の順で担持し、（  ）で括られた成分は同時に担持した。
前記と同様に、ＮＯx浄化触媒N-Sを、以下の方法で調製した。ＮＯｘ浄化触媒N-N調製における硝酸Na溶液に代えて硝酸ストロンチウム(硝酸SR)溶液を用い、その他は、ＮＯｘ浄化触媒N-Nとほぼ同様の方法でN-S 2Mg-(0.2Rh,2.7Pt)-(22.5Sr,9Ti)-27Ce/Al2O3を得た。
【００３０】
［NOx浄化特性］
次に、本実施形態の排ガス浄化装置を搭載した自動車の排ガスの浄化特性及び燃料消費率について説明する。
前記触媒調製法で得たNOx浄化触媒N-Nを７００℃で１００時間酸化雰囲気で熱処理した後、次の手段で、排気浄化特性と燃料消費率を評価した。
排気量１.６Ｌのリーンバーン仕様ガソリンエンジンを搭載した乗用車の排気ダクトの床下に前記調製法で調製したハニカム状のＮＯx浄化触媒１.２４Ｌ(400cell/in2)を設置し、シャシダイナモメーター上で走行した。排ガスの分析は、自動車排気ガス測定装置を用い、自動車定容量希釈サンプリング装置でサンプリングしてCVS(Constant Volume Sampling)値を求めた。また、燃費は、走行距離とカーボンバランスから求めた。
【００３１】
走行は、１０-１５モードとし、全ての定常走行時と１５モード２山目加速域の車速50km/h以上、及び、１５モード３山目加速域の車速５５km/h以上をリーン運転とし、これ以外は、ストイキ運転とした。リーン運転時には、ＮＯｘ捕捉能推定手段によりＮＯｘ捕捉能を推定して、この値が触媒の特性を勘案して予め決められた所定値以下になった時点で、短時間のストイキもしくはリッチ運転(リッチシフト)を挿入した。ストイキもしくはリッチの深さ(A/F値)と時間を変化させて、ＮＯx等の有害物排出量および燃料消費率（ｋｍ／L）に与える影響を評価した。なお、１回の１０-１５モード走行試験内では、リッチシフトの深さ、維持時間は一定とした。
【００３２】
以上の試験条件下で得たＮＯx排出量とリッチシフトの深さ(A/F値)、及び時間の影響を図２に示した。図２からＮＯx排出量は、リッチシフト時間の影響を大きく受け、リッチシフト時間を長くすると低減することが理解され、また、リッチの程度を大きくする(A/F値を小さくする)と、ＮＯx排出量が低下する傾向にあるが、その低下度合いは大きくないことが理解される。
【００３３】
図３は、Ａ／Ｆ値１４．０におけるＮＯx排出量と、リッチシフト時間の関係を示したものである。図３から十分なＮＯx排出量の低減効果を得るためには、少なくとも０．５秒好ましくは１秒間のリッチシフト時間が必要であること、及び、４．５秒以上では、ＮＯx排出量の低減率が低下し、低減効果が十分に発揮できないことが分かる。即ち、ＮＯx排出量の低減には、１秒間から４．５秒間の間のリッチシフトが有効であることが理解される。
図４は、前記と同様な試験条件下で得たリッチシフトによる燃料消費率の低下率とリッチシフトの時間、及び深さ(A/F)の影響を示したものである。燃料消費率の低下率は、次の式（１）で算出される値を用いた。
【００３４】
【数１】
0004464472.tif 000002
ここに、燃料消費率(燃費)：km/L:10-15モード
【００３５】
図４から理解されることは、当然とも云えるが、リッチシフトの時間が長いほど、またリッチシフトが深い(A/F値が小)ほど燃料消費率が低下すると云うことである。前記したように、リッチシフトを深めても、ＮＯｘ排出量の低減効果が小さいので、リッチシフトは、浅いほど好ましい。自動車のリーンバーン化による燃費の低減率は、一般には１０％強である。これを考慮するとリッチシフトによる燃費の低減率は、５％以下に留めるべきであると云える。
前記のリッチシフト時間１秒から４．５秒の間で、燃費低下率５％以内を満足するリッチシフトの深さは、図４からＡ／Ｆ値が１３から１４．７の間であることが理解される。
【００３６】
また、これまでの記載では、排ガス中の有害物質として、ＮＯxのみを取り上げたが、ＣＯ、ＨＣの排出量は、十分小さく、かつ、リッチシフトに基づいて増加はするものの、その増加量は、僅かで排出量に大きな影響を与えるものではなかった。
【００３７】
次に、ＮＯx浄化触媒N-Sについては、ＮＯx浄化触媒N-Nの場合と同じ手段で、有害物排出量と燃費を測定した。そして、ＮＯx浄化触媒N-Nの場合と同じ試験条件下で、図５に示すようなＮＯx排出量、リッチシフトの深さ(A/F値)、及びリッチシフト時間の相関する関係を見いだした。図２と同様に、ＮＯx排出量は、リッチシフト時間の影響を大きく受け、リッチシフト時間を長くすると低減する。また、リッチを深くする(A/F値を小さくする)とＮＯx排出量は、低下する傾向にあるが、その程度は小さい。
【００３８】
図６は、Ａ／Ｆ値１４．０におけるＮＯx排出量とリッチシフト時間の関係を示したものである。図３の触媒N-Nの場合と同様に、十分なNOx排出量の低減効果を得るためには、少なくとも０．５秒好ましくは１秒間のリッチシフト時間が必要であること、及び、４．５秒以上では、ＮＯx排出量の低減率が低下し、低減効果が十分に発揮できないことが分かる。即ち、ＮＯx排出量の低減には、本触媒についてもNOx排出量低減の観点からリッチシフト時間は、１秒間から４．５秒間の間のリッチシフトが有効であることが理解される。したがって、前記図４のリッチシフト条件と燃料消費低下率の関係より、有効なリッチシフトの深さは、Ａ／Ｆ値１４．７から１３．０の間にあると云える。
【００３９】
本リーンＮＯx浄化触媒についても、ＣＯ、ＨＣの排出量は、十分に小さく、かつ、リッチシフトにより増加するものの、その増加量は、僅かで排出量に大きな影響を与えるものではなかった。
本実施の形態における特徴は、本実施の形態のNOx浄化触媒の持つ特性、特にＮＯx排出量の低減に対して、リッチシフト時間の長さが影響し、リッチシフトの深さは、あまり影響しないという特性に由来するところが大きいことである。この特性は、本実施の形態におけるNOx浄化触媒の以下の特性と関係するものと考えられる。
【００４０】
本実施の形態の排ガス浄化装置におけるNOx浄化触媒は、リーン排ガス中のＮＯxを還元浄化すると共に、ＮＯxを触媒に捕捉することにより浄化するものであり、ＮＯxの捕捉は、主として触媒表面への吸着により行われる。吸着捕捉されたＮＯxは、ストイキ及びリッチの排ガスと接触させると、触媒上でＨＣ(炭化水素)、ＣＯ(一酸化炭素)等の還元剤によりＮ2に還元され、触媒表面は、ＮＯx吸着能を回復する。吸着状態のＮＯxの還元は、速やかに進行する。これは、吸着ＮＯxの還元反応にともなう物質移動過程が、還元剤や生成Ｎ2の気相拡散過程と吸着ＮＯx等の表面拡散過程を含むのみで、物質移動抵抗の大きい触媒バルク内の移動過程を含まないことによる。
【００４１】
ＮＯxが触媒バルク内に吸収されている場合には、ＮＯxが触媒表面まで拡散移動するか、還元剤が触媒のバルク内に拡散移動する必要がある。バルク内の移動速度を速めるには駆動力としての濃度差が必要で還元剤の濃度を高める必要が生じる。即ち、リッチシフトを深くする必要が生じる。しかも、ＮＯx等のバルク内の物質の移動速度は小さいため(リッチシフトガス中の還元剤のある部分は反応に関与せず触媒上を通過するため)、還元剤の利用率は小さくならざるを得ない。
【００４２】
本実施の形態の排ガス浄化装置のＮＯx浄化触媒は、バルク内の移動過程を含まないために、リッチシフトを深くする必要はないが、必要な還元剤を供給するための時間が必要となる。即ち、ＮＯx排出量低減には、リッチシフトの深さはあまり影響しないが、リッチシフトの時間が影響する。また、本実施の形態の排ガス浄化装置のNOx浄化触媒では、浅いリッチシフトで十分であるために、リッチシフトによる燃費の低下は小さくなる。
図７は、本発明の排ガス浄化装置を含む内燃機関ユニットの他の実施の形様を示したものである。図１の実施の形態との相違は、エンジン近くの排気管のダクトにマニホールド触媒２４を設けた点にある。
【００４３】
自動車の排ガスの排出規制の強化は、エンジンの起動直後に排出されるＨＣ等の有害物の浄化を必要としている。即ち、従来は、触媒が作動温度に達するまで、未処理で排出されていたが、この起動直後の有害成分量を大幅に低減する必要がある。これには、触媒を作動温度まで急速に昇温する方法が有効である。図７は、エンジン起動時のＨＣ,ＣＯの排出量の低減と、リーン及びストイキ（含むリッチ）運転における排ガス浄化に対応できる装置構成をしている。
【００４４】
図７の構成においては、マニホールド触媒２４には、Pt,Rh,CeO2を主たる成分とする、いわゆる三元触媒やPdを添加した三元触媒、あるいは、Pd等の燃焼活性成分を主たる成分とした燃焼触媒が適用できる。本実施の形態の構成では、起動時には、マニホールド触媒２４が短時間で昇温して、ＨＣやＣＯの浄化を、起動直後から行い、ストイキ運転時には、マニホールド触媒とＮＯx浄化触媒１９の双方が機能して、ＨＣ,ＣＯ,ＮＯxの浄化を行い、リーン運転時には、ＮＯx浄化触媒が、ＮＯxを吸着浄化する。ＮＯx浄化触媒のＮＯx捕捉能の再生に当たり、空燃比をリッチシフトすると、還元剤としてのＨＣ,ＣＯは、マニホールド触媒で大きな化学変化を受けることなく、ＮＯx浄化触媒に達し、ＮＯx捕捉能を再生する。
【００４５】
以上、本発明の二つの実施の形態について詳述したが、本発明は、前記実施の形態に限定されるものではなく、特許請求の範囲に記載された発明の精神を逸脱しない範囲で、設計において種々の変更ができるものである。
例えば、図１のエンジン９９に代えて筒内直噴射方式のエンジンを適用することもできるし、図１のＮＯx浄化触媒１９の下流に後触媒として燃焼触媒を配置して、ＨＣ浄化能を向上させた装置とすることもできる。また、前記燃焼触媒に代えて三元触媒を配置して、ストイキ時の三元機能を強化させた装置を実現することもできる。
【００４６】
【発明の効果】
以上の説明から理解されるように、本発明の内燃機関の排ガス浄化方法及び装置は、排ガス流路に特定機能を備えたＮＯx浄化触媒を配置し、内燃機関のリーン運転領域での排ガスの酸化雰囲気でＮＯxを吸着捕捉すると共に、還元雰囲気をつくって、ＮＯx浄化触媒を再生することにより、リーンバーン燃焼における排ガス中のＮＯx等を、燃費に大きな影響を与えることなく効果的に浄化できる。
【図面の簡単な説明】
【図１】本発明の一実施態様を示す排ガス浄化装置を含む内燃機関ユニットの全体構成図。
【図２】図１の排ガス浄化装置のリーン運転時に、リッチシフトを挿入した場合のＮＯx排出量、リッチシフトの深さ(A/Fの値)、及びリッチシフト時間との関係図。
【図３】図１の排ガス浄化装置のＡ／Ｆ値１４．０でのリッチシフト時におけるリッチシフト時間とNOx排出量との関係図。
【図４】図１の排ガス浄化装置のリッチシフト時による燃料消費率の低下率、リッチシフトの時間、及びシフト深さ(A/F)の関係図。
【図５】図１の排ガス浄化装置のリーン運転時にリッチシフトを実施した場合のＮＯx排出量、リッチシフトの深さ(A/Fの値)、及びリッチシフト時間の関係図。
【図６】図１の排ガス浄化装置のＡ／Ｆ１４．０でのリッチシフト時におけるリッチシフト時間とＮＯx排出量との関係図。
【図７】本発明の他の実施の形態の排ガス浄化装置を含む内燃機関ユニットの全体構成図であって、排気浄化系にマニホールド触媒を付設した図。
【符号の説明】
１    エアクリーナ
２    エアフローセンサー
３    スロットルバルブ
４    スロットル開度センサー
５    インジェクター
６    点火プラグ
７    アクセルペダル
８    負荷センサー
９    吸気温度センサー
１１  吸気管
１２  燃料ポンプ
１３  燃料タンク
１８  排気管
１９  NOx浄化触媒
２０  酸素センサー
２１  ＮＯx濃度サンサー
２２  ＮＯx浄化触媒温度センサー
２３  排気温度センサー
２４  マニホールド触媒
２５  制御ユニット（ECU）
２６  ノックセンサー
２８  水温サンサー
２９  クランク角センサー
９９  エンジン
【図１】
0004464472.tif 000003
【図２】
0004464472.tif 000004
【図３】
0004464472.tif 000005
【図４】
0004464472.tif 000006
【図５】
0004464472.tif 000007
【図６】
0004464472.tif 000008
【図７】
0004464472.tif 000009